(57)【要約】    【課題】ユーザによるキャリブレーションを不要とする。    【手段】  出荷する吸光度計測装置については、前記その固有特性値として、前記短波長除去機能部材および前記長波長除去機能部材についてそれぞれ記憶させて出荷する。試薬保持部材には、i)使用している試薬についての傾向特定データ、ii)補正装置１０の固有特性値記憶手段１５に記憶された固有特性値と当該試薬に対する吸光補正係数との相関関係を示す相関関係データを記憶しておく。計測時には、前記傾向特定データを読み出して、当該試薬の固有特性値を読み出す。固有特性値が決まれば、前記相関関係データによって、当該試薬に対するその吸光度計測装置における補正値が決定できる。【選択図】  図２
2010256290.tif 000002
【特許請求の範囲】
【請求項１】
試薬の吸光度を計測した計測吸光度を補正する方法であって、
試薬の吸光度を計測する計測機器について、発光部の中心波長に対して短い波長の成分を除去するロングパスフィルタ、長い波長の成分を除去するショートパスフィルタの２つを基準フィルタとして、前記計測機器で計測した吸光度を、基準計測器で計測した基準吸光度に一致させるために用いる前記２つの吸光度から求めた補正係数を当該計測機器の固有特性値として前記計測機器に前記ロングパスフィルタおよび前記ショートパスフィルタについてそれぞれ記憶させておき、
ある試薬について、前記発光部の中心波長付近における分光分布曲線の傾向が、前記ロングパスフィルタ、または前記ショートパスフィルタのいずれの傾向と似ているのかを特定する傾向特定データを当該試薬が納められた試薬反応部材の一部に記憶するとともに、前記固有特性値と当該試薬に対する吸光補正係数との相関関係を示す相関関係データを前記試薬反応部材の一部に記憶しておき、
前記計測機器は、前記傾向特定データから当該試薬の固有特性値を読み出して、前記相関関係データに基づき前記吸光補正係数を求めて、計測した吸光度を補正すること、
を特徴とする計測吸光度補正方法。
【請求項２】
試薬の吸光度を計測する吸光度計測システムであって、
Ａ）以下のa1),a2)を有する吸光度計測装置、
a1)発光手段を有し、試薬の吸光度を計測する計測部、
a2)以下の固有特性値記憶手段を有しており、前記計測部で計測した計測値を補正する補正装置、
前記発光手段の中心波長に対して短い波長の成分を除去する特性を有する短波長除去機能部材および長い波長の成分を除去する特性を有する長波長除去機能部材を当該計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶する固有特性値記憶手段、
Ｂ）以下のb1)、b2)を有する試薬反応部材、
b1)試薬と計測対象部材を反応させる反応部、
b2)前記反応部に載置された試薬について、前記発光手段の中心波長付近における分光分布曲線の傾向が、前記短波長除去機能部材または前記長波長除去機能部材のいずれの傾向と似ているのかを特定する傾向特定データを記憶するとともに、前記固有特性値と当該試薬に対する吸光補正係数との相関関係を示す相関関係データを記憶する記憶手段、
を備え、
前記吸光度計測機器は、さらに、
前記試薬反応部材の記憶手段から、前記傾向特定データおよび前記相関関係データを読み出す読み出し手段を備えており、
前記吸光度計測機器の前記補正部は、前記傾向特定データから当該試薬の固有特性値を読み出して、前記相関関係データに基づき前記吸光補正係数を求めて、計測した吸光度を補正すること、
を特徴とする吸光度計測システム。
【請求項３】
試薬の吸光度を計測する吸光度計測装置であって、
発光手段を有し、試薬の吸光度を計測する計測部、
前記発光手段の中心波長に対して短い波長の成分を除去する特性を有する短波長除去機能部材および長い波長の成分を除去する特性を有する長波長除去機能部材を、当該計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶する固有特性値記憶手段、
前記計測部に載置された試薬反応部材について、前記発光手段の中心波長付近における分光分布曲線の傾向が、前記短波長除去機能部材または前記長波長除去機能部材のいずれの傾向と似ているのかを特定する傾向特定データおよび、前記固有特性値と当該試薬に対する吸光補正係数との相関関係を示す相関関係データを前記試薬反応部材から読み出す読み出し手段、
前記傾向特定データから当該試薬の固有特性値を読み出して、前記相関関係データに基づき前記吸光補正係数を求めて、計測した吸光度を補正する補正部、
を備えたことを特徴とする吸光度計測装置。
【請求項４】
計測した試薬の吸光度を補正する吸光度補正装置であって、
前記発光手段の中心波長に対して短い波長の成分を除去する特性を有する短波長除去機能部材および長い波長の成分を除去する特性を有する長波長除去機能部材を、当該計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶する固有特性値記憶手段、
前記計測部に載置された試薬反応部材について、前記発光手段の中心波長付近における分光分布曲線の傾向が、前記短波長除去機能部材または前記長波長除去機能部材のいずれの傾向と似ているのかを特定する傾向特定データおよび、前記固有特性値と当該試薬に対する吸光補正係数との相関関係を示す相関関係データを前記試薬反応部材から読み出す読み出し手段、
前記傾向特定データから当該試薬の固有特性値を読み出して、前記相関関係データに基づき前記吸光補正係数を求めて、計測した吸光度を補正する補正部、
を備えたことを特徴とする吸光度補正装置。
【請求項５】
試薬の吸光度を計測する吸光度計測装置で計測される試薬反応部材であって、
b1)試薬と計測対象部材を反応させる反応部、
b2)前記反応部に載置された試薬について、前記吸光度計測装置の発光部における中心波長付近における分光分布曲線の傾向が、前記中心波長に対して短い波長の成分を除去する特性を有する短波長除去機能部材および長い波長の成分を除去する特性を有する長波長除去機能部材のいずれの傾向と似ているのかを特定する傾向特定データを記憶するとともに、前記固有特性値と当該試薬に対する吸光補正係数との相関関係を示す相関関係データを記憶する記憶手段、
を備えたことを特徴とする試薬反応部材。
【請求項６】
吸光度を計測するための発光手段の中心波長に対して短い波長の成分を除去する特性を有する短波長除去機能部材および長い波長の成分を除去する特性を有する長波長除去機能部材を、前記計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶した吸光度計測装置を複数台準備し、
特定の試薬について、前記発光手段の中心波長付近における分光分布曲線の傾向が、前記短波長除去機能部材または前記長波長除去機能部材のいずれの傾向と似ているのかを特定し、
前記特定の試薬を前記複数台の吸光度計測装置にて計測して、各吸光度計測装置の前記固有特性値と当該試薬に対する吸光補正係数との対応データを取得し、
前記対応データから前記固有特性値と当該試薬に対する吸光補正係数との相関関係を示す相関関係データを生成すること、
を特徴とする相関関係データ作成方法。
【請求項７】
以下の各ステップによって、相関関係データを取得し、取得した相関関係データを下記にて測定した試薬の相関関係データとして、吸光度計測装置にて読み取り可能な形式で記憶させることにより、試薬チップを製造する製造方法。
吸光度を計測するための発光手段の中心波長に対して短い波長の成分を除去する特性を有する短波長除去機能部材および長い波長の成分を除去する特性を有する長波長除去機能部材を、前記計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶した吸光度計測装置を複数台準備するステップ、
特定の試薬について、前記発光手段の中心波長付近における分光分布曲線の傾向が、前記短波長除去機能部材または前記長波長除去機能部材のいずれの傾向と似ているのかを特定するステップ、
前記特定の試薬を前記複数台の吸光度計測装置にて計測して、各吸光度計測装置の前記固有特性値と当該試薬に対する吸光補正係数との対応データを取得するステップ、
前記対応データから前記固有特性値と当該試薬に対する吸光補正係数との相関関係を示す相関関係データを生成するステップ。
【発明の詳細な説明】
【技術分野】
【０００１】
この発明は、発光手段として分光分布にばらつきのある素子を用いた計測機器に関し、特に、ばらつきの簡易修正に関する。
【背景技術】
【０００２】
特許文献１には、体液成分を検査する検査器具が開示されている。かかる体液成分を検査する検査器具においては、光を照射し、透過した光をセンサー等で読み取り、得られた光強度の値を積分することにより、検体の特性を判断することができる（特許文献１、段落０００２参照）。
【０００３】
発明者は、特許文献１における検査器具の測定をユーザが簡易に行えるようにするために、照射手段としてＬＥＤを用いた簡易な吸光度計測装置を考案した。しかし、上記ＬＥＤは発光特性についてばらつきがある。ばらつきとは、例えば、中心波長、裾野の幅、裾野の左右形状等である。
【０００４】
かかるばらつきは、計測結果に誤差を生じさせるので、かかる誤差を吸収する手法として、一般的にキャリブレーションが行われる。
【０００５】
キャリブレーションについて簡単に説明する。各機器にて計測した吸光度（Abs）を、吸光度を正確に計測できる基準器で計測した値との相対値を求める。かかる相対値を補正係数として、各機器で計測した計測値を補正する。これにより補正後吸光度を求める。かかる処理をキャリブレーションという。
【０００６】
図１に、ＬＥＤを発光手段として用いた吸光度計測機器１〜７について、試薬αに関する補正前後の吸光度を示す。このように、各試薬について、前記補正係数を求めて記憶させておくことにより、正確な吸光度を求めることができる。
【先行技術文献】
【特許文献】
【０００７】
【特許文献１】特開2004-317307号公報
【発明の概要】
【発明が解決しようとする課題】
【０００８】
上記手法には、検査機器をユーザに販売してしまった後に、計測対象として新たな試薬を追加したい場合には、対応ができないという問題があった。かかる問題を解決するために、正確な基準機で測定して値の分かっているキャリブレーション用の被測定物をユーザに渡して、キャリブレーションのための補正値をユーザに設定させることも考えられる。
【０００９】
しかし、これではユーザに補正値の設定処理を強いることとなり、ユーザにとっては煩雑である。また、追加試薬が増えた場合には、間違って登録されるというおそれもある。
【００１０】
上記の問題はＬＥＤ以外でも、発光特性にばらつきがある発光手段においては同様の問題がある。
【００１１】
この発明は、上記の問題点を解決して、ユーザによるキャリブレーションを不要としつつ、計測精度を高めた計測が可能な計測装置またはその方法を提供することを目的とする。
【課題を解決するための手段】
【００１２】
(1)本発明にかかる計測吸光度補正方法は、試薬の吸光度を計測した計測吸光度を補正する方法であって、試薬の吸光度を計測する計測機器について、発光部の中心波長に対して短い波長の成分を除去するロングパスフィルタ、長い波長の成分を除去するショートパスフィルタの２つを基準フィルタとして、前記計測機器で計測した吸光度を、基準計測器で計測した基準吸光度に一致させるために用いる前記２つの吸光度から求めた補正係数を当該計測機器の固有特性値として前記計測機器に前記ロングパスフィルタおよび前記ショートパスフィルタについてそれぞれ記憶させておき、ある試薬について、前記発光部の中心波長付近における分光分布曲線の傾向が、前記ロングパスフィルタ、または前記ショートパスフィルタのいずれの傾向と似ているのかを特定する傾向特定データを当該試薬が納められた試薬反応部材の一部に記憶するとともに、前記固有特性値と当該試薬に対する吸光補正係数との相関関係を示す相関関係データを前記試薬反応部材の一部に記憶しておき、前記計測機器は、前記傾向特定データから当該試薬の固有特性値を読み出して、前記相関関係データに基づき前記吸光補正係数を求めて、計測した吸光度を補正する。
【００１３】
このように、各計測装置における固有特性値をロングパスフィルタ、ショートパスフィルタの双方について記憶しておき、各試薬についていずれの固有特性値を用いるのかおよび、用いる固有特性値と補正係数との相関関係データを記憶しておくことにより、ユーザによる補正処理をすることなく、正確に試薬の吸光度を計測することができる。
【００１４】
(2)本発明にかかる吸光度計測システムは、Ａ）以下のa1),a2)を有する吸光度計測装置、a1)発光手段を有し、試薬の吸光度を計測する計測部、a2)以下の固有特性値記憶手段を有しており、前記計測部で計測した計測値を補正する補正装置、前記発光手段の中心波長に対して短い波長の成分を除去する特性を有する短波長除去機能部材および長い波長の成分を除去する特性を有する長波長除去機能部材を当該計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶する固有特性値記憶手段、Ｂ）以下のb1)、b2)を有する試薬反応部材、b1)試薬と計測対象部材を反応させる反応部、b2)前記反応部に載置された試薬について、前記発光手段の中心波長付近における分光分布曲線の傾向が、前記短波長除去機能部材または前記長波長除去機能部材のいずれの傾向と似ているのかを特定する傾向特定データを記憶するとともに、前記固有特性値と当該試薬に対する吸光補正係数との相関関係を示す相関関係データを記憶する記憶手段、を備え、前記吸光度計測機器は、さらに、前記試薬反応部材の記憶手段から、前記傾向特定データおよび前記相関関係データを読み出す読み出し手段を備えており、
前記吸光度計測機器の前記補正部は、前記傾向特定データから当該試薬の固有特性値を読み出して、前記相関関係データに基づき前記吸光補正係数を求めて、計測した吸光度を補正する。
【００１５】
このように、各吸光度計測装置における固有特性値を短波長除去機能部材または前記長波長除去機能部材の双方について記憶しておき、各試薬について傾向特定データおよび相関関係データを記憶しておくことにより、ユーザによる補正処理をすることなく、正確に試薬の吸光度を計測することができる。
【００１６】
(3)本発明にかかる吸光度計測装置は、１）発光手段を有し、試薬の吸光度を計測する計測部、２）前記発光手段の中心波長に対して短い波長の成分を除去する特性を有する短波長除去機能部材および長い波長の成分を除去する特性を有する長波長除去機能部材を、当該計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶する固有特性値記憶手段、３）前記計測部に載置された試薬反応部材について、前記発光手段の中心波長付近における分光分布曲線の傾向が、前記短波長除去機能部材または前記長波長除去機能部材のいずれの傾向と似ているのかを特定する傾向特定データおよび、前記固有特性値と当該試薬に対する吸光補正係数との相関関係を示す相関関係データを前記試薬反応部材から読み出す読み出し手段、４）前記傾向特定データから当該試薬の固有特性値を読み出して、前記相関関係データに基づき前記吸光補正係数を求めて、計測した吸光度を補正する補正部を備えている。
【００１７】
このように、各吸光度計測装置における固有特性値を短波長除去機能部材または前記長波長除去機能部材の双方について記憶しておき、各試薬について傾向特定データおよび相関関係データを各試薬から読み出すことにより、ユーザによる補正処理をすることなく、正確に試薬の吸光度を計測することができる。
【００１８】
(4)本発明にかかる吸光度補正装置は、１）前記発光手段の中心波長に対して短い波長の成分を除去する特性を有する短波長除去機能部材および長い波長の成分を除去する特性を有する長波長除去機能部材を、当該計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶する固有特性値記憶手段、２）前記計測部に載置された試薬反応部材について、前記発光手段の中心波長付近における分光分布曲線の傾向が、前記短波長除去機能部材または前記長波長除去機能部材のいずれの傾向と似ているのかを特定する傾向特定データおよび、前記固有特性値と当該試薬に対する吸光補正係数との相関関係を示す相関関係データを前記試薬反応部材から読み出す読み出し手段、３）前記傾向特定データから当該試薬の固有特性値を読み出して、前記相関関係データに基づき前記吸光補正係数を求めて、計測した吸光度を補正する補正部を備えている。
【００１９】
このように、各吸光度計測装置における固有特性値を短波長除去機能部材または前記長波長除去機能部材の双方について記憶しておき、各試薬について傾向特定データおよび相関関係データを各試薬から読み出すことにより、補正処理が可能となる。
【００２０】
(5)本発明にかかる試薬反応部材は、試薬の吸光度を計測する吸光度計測装置で計測される試薬反応部材であって、b1)試薬と計測対象部材を反応させる反応部、b2)前記反応部に載置された試薬について、前記吸光度計測装置の発光部における中心波長付近における分光分布曲線の傾向が、前記中心波長に対して短い波長の成分を除去する特性を有する短波長除去機能部材および長い波長の成分を除去する特性を有する長波長除去機能部材のいずれの傾向と似ているのかを特定する傾向特定データを記憶するとともに、前記固有特性値と当該試薬に対する吸光補正係数との相関関係を示す相関関係データを記憶する記憶手段を備えている。
【００２１】
したがって、各試薬について傾向特定データおよび相関関係データを各試薬から読み出して、計測吸光度を補正することにより、正確な吸光度を計測することができる。
【００２２】
(5)本発明にかかる相関関係データ作成方法は、吸光度を計測するための発光手段の中心波長に対して短い波長の成分を除去する特性を有する短波長除去機能部材および長い波長の成分を除去する特性を有する長波長除去機能部材を、前記計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶した吸光度計測装置を複数台準備し、特定の試薬について、前記発光手段の中心波長付近における分光分布曲線の傾向が、前記短波長除去機能部材または前記長波長除去機能部材のいずれの傾向と似ているのかを特定し、前記特定の試薬を前記複数台の吸光度計測装置にて計測して、各吸光度計測装置の前記固有特性値と当該試薬に対する吸光補正係数との対応データを取得し、前記対応データから前記固有特性値と当該試薬に対する吸光補正係数との相関関係を示す相関関係データを生成する。
【００２３】
このように、各吸光度計測装置における固有特性値を短波長除去機能部材または前記長波長除去機能部材の双方について記憶しておき、各試薬について前記傾向特定データおよび前記相関関係データから補正処理をすることにより、正確に試薬の吸光度を計測することができる。
【００２４】
(6)本発明にかかる試薬チップ製造方法は、以下の各ステップによって、相関関係データを取得し、取得した相関関係データを下記にて測定した試薬の相関関係データとして、吸光度計測装置にて読み取り可能な形式で記憶させることにより、試薬チップを製造する製造方法である。1)吸光度を計測するための発光手段の中心波長に対して短い波長の成分を除去する特性を有する短波長除去機能部材および長い波長の成分を除去する特性を有する長波長除去機能部材を、前記計測機器で計測した吸光度を、基準計測器で計測した基準吸光度に一致させるために用いる前記２つの吸光度から求めた補正係数を当該計測機器の固有特性値として前記短波長除去機能部材および前記長波長除去機能部材についてそれぞれ記憶した吸光度計測装置を複数台準備するステップ、2)特定の試薬について、前記発光手段の中心波長付近における分光分布曲線の傾向が、前記短波長除去機能部材または前記長波長除去機能部材のいずれの傾向と似ているのかを特定するステップ、3)前記特定の試薬を前記複数台の吸光度計測装置にて計測して、各吸光度計測装置の前記固有特性値と当該試薬に対する吸光補正係数との対応データを取得するステップ、4)前記対応データから前記固有特性値と当該試薬に対する吸光補正係数との相関関係を示す相関関係データを生成するステップ。
【００２５】
このようにして試薬チップに各試薬について傾向特定データおよび相関関係データを記憶させることにより、計測吸光度を補正できる試薬チップを供給することができる。
【００２６】
なお、本明細書において、「前記固有特性値と当該試薬に対する吸光補正係数との相関関係を示す相関関係データ」は、実施形態では、１次元近似式であるが、ｎ次元近似式であってもよく、また、かかる近似式を求めるためのデータ群であってもよい。
【００２７】
また、「発光手段の中心波長に対して短い波長の成分を除去する特性を有する短波長除去機能部材」、「発光手段の中心波長に対して長い波長の成分を除去する特性を有する長波長除去機能部材」は、実施形態では、それぞれ、ロングパスフィルタ、ショートパスフィルタを採用した場合について説明したが、計測において安定的に供給できるものであれば、フィルタに限られず、試薬などを採用することもできる。また、このような部材については、前記中心波長に対して、除去する曲線が斜めに横切るものが望ましい。
【００２８】
また、「傾向特定データ」とは、図１０の固有特性のうち、いずれを使うのかを特定する「SP」または「LP」が該当する。
【００２９】
「分光分布曲線の傾向が、前記ロングパスフィルタ、または前記ショートパスフィルタのいずれの傾向と似ている」とは、図８に示すように、分光分布が右上がりか左上がりかのいずれに近いかで判断すればよい。
【図面の簡単な説明】
【００３０】
【図１】キャリブレーション前後の補正データの一覧である。
【図２】この発明の一実施形態による吸光度計測システム１の機能ブロック図である。
【図３】図２に示す吸光度計測装置２０を、ＣＰＵを用いて実現した場合のハードウエア構成である。
【図４】吸光度計測装置２０の外観図（一部）である。
【図５】試薬チップを示す図である。
【図６】吸光度計測装置２０の発光部の構造を示す。
【図７】固有特性値、および相関関係データの生成処理の概要を示すフローチャートである。
【図８】複数のＬＥＤについて、ロングパスフィルタ、ショートパスフィルタ、試薬の分光分布を示す図である。
【図９】相関関係データを説明する図である。
【図１０】試薬チップの2次元コード記憶部に記憶されるデータの一例を示す図である。
【図１１】補正処理を示すフローチャートである。
【発明を実施するための形態】
【００３１】
１．機能ブロック図
図２に、この発明の一実施形態による吸光度計測システム１の機能ブロック図を示す。
【００３２】
吸光度計測システム１は、試薬の吸光度を計測する吸光度計測システムであって、吸光度計測装置２０および試薬反応部材２を備えている。吸光度とは、液体に光を照射したときに透過した光量と照射した光量との比の逆対数である。かかる吸光度は液体の濃度に比例するので、これを利用した分析が可能となる。
【００３３】
吸光度計測装置２０は、計測部７および前記計測部で計測した計測値を補正する補正装置１０を備えている。計測部７は、発光手段(図示せず)を有し、試薬の吸光度を計測する。補正装置１０は、読み出し手段１３，補正部１０および固有特性値記憶手段１５を有する。固有特性値記憶手段１５は、前記発光手段の中心波長に対して短い波長の成分を除去する特性を有する短波長除去機能部材および長い波長の成分を除去する特性を有する長波長除去機能部材を、この吸光度計測装置で計測した吸光度を、基準計測器で計測した基準吸光度に一致させるために用いる前記２つの吸光度から求めた補正係数を当該吸光度計測機器の固有特性値として、前記短波長除去機能部材および前記長波長除去機能部材についてそれぞれ記憶する。
【００３４】
試薬反応部材２は、試薬と計測対象部材を反応させる反応部５と記憶手段３を備えている。記憶手段３は、傾向特定データおよび相関関係データを記憶する。傾向特定データは、反応部５に載置された試薬について、計測部７の発光手段の中心波長付近における分光分布曲線の傾向が、前記短波長除去機能部材または前記長波長除去機能部材のいずれの傾向と似ているのかを特定するためのデータである。相関関係データは、補正装置１０の固有特性値記憶手段１５に記憶された固有特性値と当該試薬に対する吸光補正係数との相関関係を示すデータである。
【００３５】
補正装置１０の読み出し手段１３は、試薬保持部材２の記憶手段３から、前記傾向特定データおよび前記相関関係データを読み出す。吸光度計測機器２０の補正部１１は、前記傾向特定データから当該試薬の固有特性値を読み出して、前記相関関係データに基づき前記吸光補正係数を求めて、計測した吸光度を補正する。
【００３６】
このように、計測装置には、当該装置の固有特性値を記憶させておき、試薬保持部材２に、固有特性値と当該試薬に対する吸光補正係数との相関関係を示す相関関係データに記憶させておくことにより、以下のような処理が可能となる。
【００３７】
１）出荷する吸光度計測装置については、前記その固有特性値として、前記短波長除去機能部材および前記長波長除去機能部材についてそれぞれ記憶させて出荷する。
【００３８】
２）試薬保持部材には、i)使用している試薬についての傾向特定データ、ii)補正装置１０の固有特性値記憶手段１５に記憶された固有特性値と当該試薬に対する吸光補正係数との相関関係を示す相関関係データを記憶しておく。
【００３９】
３）計測時には、前記傾向特定データを読み出して、当該試薬の固有特性値を読み出す。固有特性値が決まれば、前記相関関係データによって、当該試薬に対するその吸光度計測装置における補正値が決定する。
【００４０】
これにより、当該装置における当該試薬のキャリブレーションが不要となる。
【００４１】
また、前記固有特性値は、前記短波長除去機能部材および前記長波長除去機能部材についてそれぞれ記憶している。当該試薬がいずれに似ているかで、採用する固有特性値を決定することにより、中心波長、幅、左右非対称など、ばらつきのある発光部材であっても、固有特性値が同じ機器であれば、ほぼ同じ補正値となる。
【００４２】
２．ハードウェア構成
つぎに、吸光度計測装置２０のハードウェア構成について説明する。図３は、ＣＰＵを用いて構成した吸光度計測装置２０のハードウェア構成の一例である。
【００４３】
吸光度計測装置２０は、ＣＰＵ２３、ＲＡＭ２７、ＲＯＭ２６、表示部３０、スイッチ部３１、Ｉ／Ｏポート３６およびバスライン２９を備えている。ＣＰＵ２３は、ＲＯＭ２６に記憶された各プログラムにしたがいバスライン２９を介して、各部を制御する。
【００４４】
ＲＯＭ２６は、オペレーティングシステムプログラム（以下ＯＳと略す）２６ｏ、固有特性値記憶部２６ｈ、メインプログラム２６pを有する。
【００４５】
Ｉ／Ｏポート３６には、計測器４１、計測器４１を走査させる走査機構４５、2次元コードリーダー４３が接続されている。計測器４１は、後述するように、発光部および受光部を有しており、試薬保持部材である試薬チップにおける試薬吸光度を計測する。２次元コードリーダー４３は、試薬チップの２次元コードに記録されたデータを読みとる。スイッチ部３１は、吸光度計測装置２０における各種処理の開始等の命令をユーザが入力する入力手段である。計測器４１および２次元コードリーダー４３からのデータは、Ｉ／Ｏポート３６ａを介してＣＰＵ２３に与えられる。
【００４６】
メインプログラム２６pによる処理の詳細については後述する。本実施形態においては、オペレーティングシステムプログラム（ＯＳ）２６ｏとして、μITRON仕様準拠の組み込み用のリアルタイムOSを使用したが、これに限定されるものではない。
【００４７】
図４に吸光度計測装置２０の外観図を示す。吸光度計測装置２０は、ヒーター５３の上に試薬保持部材である試薬チップ６１が載置される。
【００４８】
試薬チップ６１の構造について、図５を用いて説明する。試薬チップ６１の構造は、反応室が複数ある以外は、特許文献１とほぼ同様である。具体的には、試薬チップ６１は、開口６３に計測対象の血液などが投入され、図示しないキャップで圧力がかけられると、投入された血液は、図示しないフィルタによって血球と血漿に分離される。分離後の血漿は、微細な流路を通して反応室７１〜７８に送り込まれる。反応室には、反応試薬が塗布されており、混和する。反応室７１〜７８は図４に示す、発光部５７，受光部５５により吸光度が計測できるように透過性を有する素材で構成されている。本実施形態においては、各反応室の寸法として、ｐ３＝１．６ｍｍ、ｐ４＝１．８ｍｍとした。
【００４９】
また、試薬チップ６１は２次元コード記憶部６４を有している。２次元コード記憶部には８カ所の試薬に関するデータ、特に、後述する相関関係データを記憶する。
【００５０】
図４に示す発光部５７について、図６を用いて説明する。図６Ａに示すように、発光部５７はレンズ８１内にＬＥＤが配置されており、リード線８５と接続されている。図６Ｂに図６ＡのＢ矢視図を示す。図６Ｃは図６Ｂの拡大図である。図６Ｃに示すように、発光部５７は３つのＬＥＤ９１，９２，９３に加えて、調光用のフォトダイオード９５が設けられている。ＬＥＤ９１，９２，９３はそれぞれ、中心波長４０５ｎｍ，６３０ｎｍ，８１０ｎｍである。ＬＥＤ９１，９２，９３の間隔は０．２ｍｍと近接して設けられている。
【００５１】
試薬チップ６１がヒーター５３(図４参照)の上に載置され、図示しないキャップによって、反応室に送り込まれた後、ＣＰＵ２３は、発光部５７を発光させる。反応室を通過した光は受光部５５で計測される。
【００５２】
なお、本実施形態においては、１組の受光部と発光部とで、８カ所の反応室の吸光度を計測するために、受光部および発光部が固定されたブロック５６がラック＆ピニオン５９によって、図４の奥行き方向に走査される。かかるラック＆ピニオン５９はモータ(図示せず）により所定ピッチだけブロック５６が移動するよう制御される。かかるモータは、図３のＣＰＵ２３およびメインプログラムにより制御される。
【００５３】
３．前処理
図７を用いて、準備処理について説明する。
【００５４】
まず、複数の吸光度計測装置および基準機を用意する（ステップＳ１）。本実施形態においては、複数の吸光度計測装置を７台としたが、これに限定されるものではない。
【００５５】
吸光度計測装置で補正が必要なＬＥＤについて、その中心波長に対して短い波長の成分を除去するロングパスフィルタ、長い波長の成分を除去するショートパスフィルタの２つを準備する(ステップＳ２）。本実施形態においては、前記３つの波長のＬＥＤのうち、比較的ばらつきの大きい４０５ｎｍのＬＥＤのロングパスフィルタ、ショートパスフィルタとして、それぞれ、富士フイルム製のＳＣ４２、ＳＣ６４を用いた。これは、入手が容易で、経時的変化もなく安定して標準物としての使用が可能だからである。したがって、これらの要件を満たすものであれば、これ以外の素材を用いてもよい。
【００５６】
図８Ａ，Ｂにかかるロングパスフィルタ、ショートパスフィルタの光学特性を示す。このように、補正が必要な試薬についての色素の分光分布は、ＬＥＤと比べるとブロードであるので、中心波長４０５ｎｍに対して短い波長の成分または長い波長の成分を除去するフィルタと同様に、ＬＥＤの発光特性の範囲では、ＬＥＤの発行特性を斜めに横切るような関係となる。
【００５７】
上記ロングパスフィルタ、ショートパスフィルタの吸光度を計測する（図７ステップＳ３）。図９に、ロングパスフィルタＳＣ４２で計測した吸光度を示す。
【００５８】
各吸光度計測装置の計測値を基準機の計測値で除算した固有特性値を、ロングパスフィルタ、ショートパスフィルタについてそれぞれ求める(ステップＳ４）。例えば、ロングパスフィルタＳＣ４２で計測した吸光度が、図９に示す計測結果であった場合、各吸光度計測装置の固有特性値は、それぞれの吸光度を基準機の吸光度「０．８７１１」で除算した値となる。ショートパスフィルタに対する固有特性値についても同様に計測して記憶する。
【００５９】
このようにして各吸光度計測装置についてロングパスフィルタおよびショートパスフィルタに対する固有特性値を得て、これを各吸光度計測装置の固有値記憶部に記憶させる(ステップＳ５)。すなわち、各吸光度計測装置の固有値記憶部２６ｈには、ロングパスフィルタ、ショートパスフィルタに対する２つの固有特性値が記憶される。これにより、各吸光度計測装置における準備は完了する。
【００６０】
つぎに、試薬チップにおける準備について説明する。試薬チップの８つの試薬うち、補正係数が必要な試薬について、その分光分布特性から、この試薬はロングパスフィルタ、ショートパスフィルタのいずれの固有特性値を採用するのかを決定する(図７ステップＳ１１）。ここでは、補正係数が必要な試薬として、5-AB（5-amino-2-nitro-benzoic acid：日東紡製）を採用した。かかる試薬の分光分布特性は、図８Ｃに示すように、ロングパスフィルタのようにＬＥＤの中心波長に対して右上がりの特性（図８Ａ）を有する。したがって、この試薬については、各吸光度計測装置において補正をするには、特性が似ているロングパスフィルタの固有特性値が採用される。
【００６１】
当該試薬についての吸光度を、各吸光度計測装置および基準機で計測する（図７ステップＳ１２）。ここでは、図９に示す値が得られたものとする。
【００６２】
次に、各吸光度計測装置の計測値を基準機の計測値で除算し、当該試薬で用いる補正係数を演算する(図７ステップＳ１３）。上記の計測値であれば補正係数は図９に示す値となる。
【００６３】
ステップＳ１１で決定した固有特性値と前記補正係数との関係を示す相関関係式を演算する(図７ステップＳ１４)。
【００６４】
本実施形態においては、固有特性値を横軸に、補正係数を縦軸に配置し、１次近似式により求め、これを相関関係式とした。
【００６５】
この場合、図９に示すように、下記の式(1)で表される相関関係式が得られる。
【００６６】
ｙ＝０．５３０９ｘ＋０．４７１４・・(1)
既に説明した特定する固有特性値としてロングパスフィルタかショートパスフィルタのいずれが採用されるのかという固有特性値特定データ、および前記相関関係式を求める(図７ステップＳ１４）。補正すべき試薬が複数ある場合には、これを繰り返せばよい。
【００６７】
試薬チップの２次元コード記憶部に書き込む(ステップＳ１５）。これにより、図１０に示すような試薬データが２次元コード記憶部６４（図５参照）に書き込まれる。
【００６８】
４．計測補正処理
ユーザにおける計測補正処理について図１１を用いて説明する。以下では、ユーザに、固有特性値として、ロングパスフィルタの固有特性値が「０．９５５」、ショートパスフィルタの固有特性値「０．８４５」が記憶されている吸光度計測装置が提供されている場合を例として説明する。
【００６９】
ＣＰＵ２３は、試薬チップ６１がヒーター５３の上に載置されると、２次元コードリーダー４３(図３参照)により、試薬チップ６１の２次元コードを読み取って、ＲＡＭ２７に記憶する(図１１ステップＳ２１）。
【００７０】
計測開始命令がスイッチ部３１(図３参照)から与えられると、ＣＰＵ２３は、発光部５７(図３参照)を発光させる。反応室を通過した光は受光部５５で計測される。受光部で計測された計測値はＣＰＵ２３に与えられ、ＣＰＵ２３は、吸光度を求める(ステップＳ２３）。計測された値から吸光度を求めるのは従来と同様であるので説明は省略する。
【００７１】
つぎにＣＰＵ２３は、補正処理を行う（ステップＳ２５）。補正処理について説明する。ステップＳ２１で読み込んだデータには、固有特性値としてどちらを使うのかを示す属性「固有特性」と、相関関係式が記憶されている(図１０参照)。例えば、試薬番号「１」の試薬「５−ＡＢ」については、固有特性として「ＬＰ」、相関関係式として「ｙ＝０．５３０９ｘ＋０．４７１４」が読み出される。この吸光度計測装置のＲＯＭには、既に説明したように、ロングパスフィルタの固有特性値「０．９５５」、ショートパスフィルタの固有特性値「０．８４５」が記憶されている。試薬番号「１」の試薬は、固有特性「ＬＰ」であるので、ロングパスフィルタの固有特性値「０．９５５」が読み出される。これを、相関関係式「ｙ＝０．５３０９ｘ＋０．４７１４」のｘに代入すると、補正係数「０．９７８４」が得られる。ステップＳ２３の計測吸光度の値をこの補正係数「０．９７８４」で除算することにより、計測値が補正される。
【００７２】
また、試薬番号「２」の試薬「ＰＮＰ」については、固有特性「無」であるので、補正処理はされない。また、試薬番号「３」の試薬「ＢＩＬ(ビリルビン)」については、固有特性「ＳＰ」相関関係式「ｙ＝0.5812ｘ＋0.4188」が読み出され、同様にして補正処理がなされる。試薬番号「４」の試薬「Thio-NAD（thionicotinamide-adenine dinucleotide)」については、固有特性「ＬＰ」相関関係式「ｙ＝0.5362ｘ＋0.4673」が読み出され、同様にして補正処理がなされる。その他の試薬については、固有特性に「無」が記載されているので、補正処理は行われない。
【００７３】
ＣＰＵ２３は、補正後の吸光度に基づいて計測結果を表示する(ステップＳ２７）。計測結果の表示については従来と同様であるので説明は省略する。
【００７４】
このように、吸光度計測装置毎に、ロングパスフィルタまたはショートパスフィルタの固有特性値を記憶しておき、試薬チップに、かかる固有特性値のうち、いずれと似ているのかを特定するデータ、および固有特性値と補正値との相関関係式を記述している。したがって、新たな試薬についても、ユーザにおけるキャリブレーションを要求することなく、値を補正することができる。
【００７５】
このようにロングパスフィルタまたはショートパスフィルタの固有特性値を記憶しておくとともに、試薬毎に適用する固有特性値を決定している。したがって、分光分布が右上がり左上がりいずれの傾向の試薬であっても、固有特性値を用いて補正することができる。
【００７６】
なお、全ての吸光度計測装置について、補正が必要な試薬について補正値を計測する必要はない。なぜなら、各吸光度計測装置ではロングパスフィルタおよびショートパスフィルタの双方で、固有特性値を計測するとともに、そして、前記相関関係データは、そのうちの代表的な値の吸光度計測装置で求めるようにすればよいからである。
【００７７】
本実施形態においては、各吸光度計測装置の固有特性値と、前記相関関係データを、吸光度計測装置と試薬チップとに分離して記憶している。これにより、従来のように、各吸光度計測装置に補正値を直接書き込む場合と比べて、新しい試薬についてもユーザによるキャリブレーションが不要である。すなわち、既に出荷済みの吸光度計測装置には、その装置における前記固有特性値が記憶されている。かかる固有特性値は、前記ある試薬については補正値と相関関係がある。したがって、固有特性値が分散した複数の吸光度計測装置で新しい試薬を計測し、図９に示す相関関係式を試薬チップに記憶することにより、上記と同様の補正が可能となる。
【００７８】
具体的には、当該試薬の分光分布について、ＬＥＤの中間波長に対して、右上がりか、左上がりかを決定することにより、採用する固有特性がロングパスフィルタに対するものか、またはショートパスフィルタに対するものかを決定する。決定した固有特性について、その値がある程度分散している吸光度計測装置を用意する。例えば、当該試薬の分光分布がＬＥＤの中間波長に対して、右上がりである場合、ロングパスフィルタに対する固有特性値を用いることとなるので、ロングパスフィルタに対する固有特性値が分散した値を有する複数の吸光度計測装置を提供する。複数の吸光度計測装置としては、例えば、ロングパスフィルタに対する固有特性値が「０．７１」、「０．８３」，「０．９０」，「１．０５」、「１．１１」、「１．２３」のような値を有する６台を用意する。
【００７９】
これらの吸光度計測装置で当該新しい試薬を測定する。かかる複数の計測結果から、当該試薬について、採用した固有特性値と補正値の相関関係式を求める。かかる相関関係式を試薬チップの２次元コードに記述すればよい。当該試薬の分光分布が左上がりである場合も同様である。
【００８０】
なお、計測は端末で行い、これをサーバに転送して、補正処理はセンターコンピュータで行うようにしてもよい。
【００８１】
本実施形態においては、相関関係式として１次元近似式を採用した場合について説明したが、ｎ次元近似式であってもよく、また、かかる近似式を求めるためのデータ群を相関関係データとして採用してもよい。
【００８２】
本実施形態においては、４０５ｎｍのＬＥＤについてだけ、補正を行うようにしたが、他のＬＥＤについて必要な場合には、それらについても同様に、ロングパスフィルタ、ショートパスフィルタに対するそれぞれの固定特性値を求めるとともに、上記相関関係式を求めるようにすればよい。
【００８３】
上記実施形態においては、各機能を実現する為に、ＣＰＵを用い、ソフトウェアによってこれを実現している。しかし、その一部若しくは全てを、ロジック回路等のハードウェアによって実現してもよい。
【００８４】
なお、上記プログラムの一部の処理をオペレーティングシステム（ＯＳ）にさせるようにしてもよい。
【図１】
2010256290.tif 000003
【図２】
2010256290.tif 000004
【図３】
2010256290.tif 000005
【図４】
2010256290.tif 000006
【図５】
2010256290.tif 000007
【図６】
2010256290.tif 000008
【図７】
2010256290.tif 000009
【図９】
2010256290.tif 000010
【図１０】
2010256290.tif 000011
【図１１】
2010256290.tif 000012
【図８】
2010256290.tif 000013